(57)【要約】記録担体は、略平行なトラックのトラックパターンを持つ。制御データパックは、損傷及び汚れに対する保護のために、幾つかの制御位置（３２）に繰り返して保存される。制御位置（３２）は、１以上のスペーサ（３４、３５）によって、スペーサ位置（３３）で分離される。スペーサ（３４、３５）の長さが、平行なトラックにおける制御データパックの第１のブロックの位置のオーバラップを防止するように選択される。
2006505889.tif 000002
【特許請求の範囲】
【請求項１】
記録担体に情報を保存する方法であって、前記記録担体は前記情報をブロックに保存するための略平行なトラックのトラックパターンを持つ方法において、前記方法は、制御情報を有する制御データパックを第１の制御位置に保存し、同一の制御情報を有する少なくとも１つの更なる制御データパックを前記第１の制御位置の近隣の少なくとも１つの更なる制御位置に保存し、このとき前記制御位置を分離するトラック部分である少なくとも１つのスペーサを提供するステップと、少なくとも１つの前記制御データパックの第１のブロックの位置の、平行なトラックにおける他の制御データパックの第１のブロックの位置とのかなりのオーバラップを防止するように、前記スペーサの長さを選択するステップとを含む方法。
【請求項２】
前記記録担体は、１つの巻に幾つかのブロックを収容する、円形又は螺旋形のトラックパターンのトラックを持つディスク型の記録担体である、請求項１に記載の方法。
【請求項３】
前記制御データパックは前記トラックパターンのエリア内に配置され、前記エリアにおける１つの巻中のブロックの数は所定の範囲内であり、前記スペーサの長さが、前記エリア内の制御データパックの位置にかかわらず前記オーバラップを防止するように選択される、請求項２に記載の方法。
【請求項４】
前記制御データパックの長さはｎブロックであり、前記制御データパックの４つのインスタンスが連続して保存され、第１の前記インスタンスと第２の前記インスタンスとの間のスペーサの長さがｓ１個のブロックとなるように選択され、第２の前記インスタンスと第３の前記インスタンスとの間のスペーサの長さがｓ２個のブロックとなるように選択され、第３の前記インスタンスと第４の前記インスタンスとの間のスペーサの長さがｓ３個のブロックとなるように選択され、とりわけｎ＝８４、ｓ１＝４、ｓ２＝２、ｓ３＝０又はｎ＝８５、ｓ１＝０、ｓ２＝３、ｓ３＝０である、請求項３に記載の方法。
【請求項５】
前記記録担体は、所定の順序で利用される幾つかの予備制御位置の１つに特定の制御データパックを書き込むために確保された、少なくとも２つの所定の確保されたエリアを持つ再書き込み可能なタイプの記録担体であり、前記確保されたエリアの長さは、残りの前記予備制御位置が前記スペーサを構成するように選択される、請求項１に記載の方法。
【請求項６】
前記確保されたエリアの長さは、特定の制御データパックが対応する予備制御位置に書き込まれた場合に、及び第１の確保されたエリアにおける特定の制御データパックが第１の予備制御位置に書き込まれ、更なる確保されたエリアにおける同一の特定の制御データパックが第２の予備制御位置に書き込まれた場合に、前記残りの予備制御位置が前記スペーサを構成するように選択され、前記第１及び第２の予備制御位置は、前記所定の順序で連続している、請求項５に記載の方法。
【請求項７】
前記予備制御位置の長さはｎ＋ｋブロックであり、ここでｎは制御データブロックの数であり、ｋはデータブロック間のリンキングブロックの数であり、前記確保されたエリアの長さはｒ＊（ｎ＋ｋ）ブロックであり、とりわけｎ＝３２、ｋ＝７及びｒ＝９である、請求項５に記載の方法。
【請求項８】
請求項１乃至７のいずれか一項に記載の方法をプロセッサに実行させるように動作する、情報を保存するためのコンピュータプログラム。
【請求項９】
記録担体に情報を記録する装置であって、前記記録担体は前記情報をブロックに保存するための略平行なトラックのトラックパターンを持ち、前記装置は、制御情報を有する制御データパックを第１の制御位置に保存し、同一の制御情報を有する少なくとも１つの更なる制御データパックを前記第１の制御位置の近隣の少なくとも１つの更なる制御位置に保存し、このとき前記制御位置を分離するトラック部分である少なくとも１つのスペーサを提供し、少なくとも１つの前記制御データパックの第１のブロックの位置の、平行なトラックにおける他の制御データパックの第１のブロックの位置とのかなりのオーバラップを防止するように前記スペーサの長さを選択するための、記録手段及び制御ユニットを有する装置。
【請求項１０】
記録担体から情報を読み取る装置であって、前記記録担体は前記情報をブロックに保存するための略平行なトラックのトラックパターンを持ち、前記装置は、制御情報を有する制御データパックを第１の制御位置から取得し、同一の制御情報を有する少なくとも１つの更なる制御データパックを前記第１の制御位置の近隣の少なくとも１つの更なる制御位置から取得し、このとき前記制御位置を分離するトラック部分である少なくとも１つのスペーサをスキップするための読み取り手段及び制御ユニットを有し、前記スペーサは、少なくとも１つの前記制御データパックの第１のブロックの位置の、平行なトラックにおける他の制御データパックの第１のブロックの位置とのかなりのオーバラップを防止するための所定の長さを持つ装置。
【請求項１１】
前記制御ユニットは、少なくとも２つの前記制御データパックの組み合わせに基づいて前記制御情報中のエラーを訂正するエラー訂正手段を備える、請求項１０に記載の装置。
【請求項１２】
前記情報をブロックに保存するための略平行なトラックのトラックパターンを持つ記録担体であって、前記情報は、第１の制御位置に制御情報を有する制御データパックと、前記第１の制御位置の近隣の少なくとも１つの更なる制御位置に同一の制御情報を有する少なくとも１つの更なる制御データパックと、前記制御位置を分離するトラック部分である少なくとも１つのスペーサとを含み、前記スペーサの長さが、少なくとも１つの前記制御データパックの第１のブロックの位置の、平行なトラックにおける他の制御データパックの第１のブロックの位置とのかなりのオーバラップを防止する記録担体。
【請求項１３】
前記記録担体は、１つの巻に幾つかのブロックを収容する、円形又は螺旋形のトラックパターンのトラックを持つディスク型の記録担体であり、前記制御データパックは前記トラックパターンのエリア内に配置され、前記エリアにおける１つの巻中のブロックの数は所定の範囲内であり、前記スペーサの長さが、前記エリア内の前記制御データパックの位置にかかわらず前記オーバラップを防止するように選択される、請求項１２に記載の記録担体。
【請求項１４】
前記制御データパックの長さはｎブロックであり、前記制御データパックの４つのインスタンスが連続して保存され、第１の前記インスタンスと第２の前記インスタンスとの間のスペーサの長さがｓ１個のブロックとなるように選択され、第２の前記インスタンスと第３の前記インスタンスとの間のスペーサの長さがｓ２個のブロックとなるように選択され、第３の前記インスタンスと第４の前記インスタンスとの間のスペーサの長さがｓ３個のブロックとなるように選択され、とりわけｎ＝８４、ｓ１＝４、ｓ２＝２、ｓ３＝０又はｎ＝８５、ｓ１＝０、ｓ２＝３、ｓ３＝０である、請求項１３に記載の記録担体。
【発明の詳細な説明】
【技術分野】
【０００１】
本発明は、記録担体に情報を保存する方法であって、前記記録担体は前記情報をブロックに保存するための略平行なトラックのトラックパターンを持つ方法、及び前記方法を実行するためのコンピュータプログラムに関する。
【０００２】
本発明は更に、かような記録担体に関する。
【０００３】
本発明は更に、かような記録担体に情報を記録するための装置に関する。
【０００４】
本発明は更に、かような記録担体から情報を読み取るための装置に関する。
【０００５】
とりわけ本発明は、記録担体に保存された制御データの偶発的な損傷に対する保護、即ち損傷又は汚れに起因するエラーの訂正に関連する。
【背景技術】
【０００６】
記録担体の良く知られたタイプは、ＣＤ（Compact Disc）及びＤＶＤ（Digital Versatile Disc）のような光ディスクであり、かような記録担体に記録するための及びかような記録担体を読み取るための装置もまた知られている。例えばＤＶＤにおけるデータ記憶は、規格ＥＣＭＡ−２６７（第３版、2001年４月）において定義されている。前記記録担体に保存された情報は、主データとも呼ばれるユーザデータと、記録及び／又は読み取りの処理を制御するための制御データとに細分される。全てのＤＶＤにおいて、例えば前記ＥＣＭＡ−２６７の35頁パラグラフ26.5に記載されるような、制御データ領域における物理フォーマット情報のように、制御情報はディスク上の特殊なエリアに保存される。特定の機能を実行するための或る量の制御情報は、本明細書においては制御データパックと呼ばれ、それを単位として保存又は取得される。ＤＶＤにおいては、制御データブロックは物理フォーマット情報を含み、擦傷又は埃や塵の粒子によって引き起こされる損傷又は汚れによる不利な状況においても、全てのＤＶＤから完全なエラーのないコピーが取得され得ることを保証するため、反復して保存される。ＤＶＤにおいては、制御データブロックは１９２回保存される。
【発明の開示】
【発明が解決しようとする課題】
【０００７】
制御情報を保存するこの知られた方法の問題点は、比較的多い数の複製が、記録担体上の大量のスペースを必要とする点である。更に、この多い数の複製を保存することは長い記録時間を必要とし、一方前記制御情報の正確なコピーを取得することは長い読み取り時間を必要とし得る。
【０００８】
それ故本発明の目的は、損傷又は塵によるエラーに対して頑強であり、必要とされるスペース及び読み取り時間の点において効率的な、制御情報を保存及び取得するための記録担体、方法及び装置を提供することにある。
【課題を解決するための手段】
【０００９】
本発明の第１の態様によれば、本目的は、最初の段落に記載された情報を保存する方法であって、前記方法は、制御情報を有する制御データパックを第１の制御位置に保存し、同一の制御情報を有する少なくとも１つの更なる制御データパックを前記第１の制御位置の近隣の少なくとも１つの更なる制御位置に保存し、このとき前記制御位置を分離するトラック部分である少なくとも１つのスペーサを提供するステップと、少なくとも１つの前記制御データパックの第１のブロックの位置の、平行なトラックにおける他の制御データパックの第１のブロックの位置とのかなりのオーバラップを防止するように、前記スペーサの長さを選択するステップとを含む方法によって達成される。
【００１０】
本発明の第２の態様によれば、本目的は、情報を保存するためのコンピュータプログラムであって、プロセッサに前記方法を実行させるように動作するコンピュータプログラムによって達成される。
【００１１】
本発明の第３の態様によれば、本目的は、最初の段落に記載された情報を記録する装置であって、前記記録担体は前記情報をブロックに保存するための略平行なトラックのトラックパターンを持ち、前記装置は、制御情報を有する制御データパックを第１の制御位置に保存し、同一の制御情報を有する少なくとも１つの更なる制御データパックを前記第１の制御位置の近隣の少なくとも１つの更なる制御位置に保存し、このとき前記制御位置を分離するトラック部分である少なくとも１つのスペーサを提供し、少なくとも１つの前記制御データパックの第１のブロックの位置の、平行なトラックにおける他の制御データパックの第１のブロックの位置とのかなりのオーバラップを防止するように前記スペーサの長さを選択するための、記録手段及び制御ユニットを有する装置によって達成される。
【００１２】
本発明の第４の態様によれば、本目的は、最初の段落に記載された情報を読み取る装置であって、前記記録担体は前記情報をブロックに保存するための略平行なトラックのトラックパターンを持ち、前記装置は、制御情報を有する制御データパックを第１の制御位置から取得し、同一の制御情報を有する少なくとも１つの更なる制御データパックを前記第１の制御位置の近隣の少なくとも１つの更なる制御位置から取得し、このとき前記制御位置を分離するトラック部分である少なくとも１つのスペーサをスキップするための読み取り手段及び制御ユニットを有し、前記スペーサは、少なくとも１つの前記制御データパックの第１のブロックの位置の、平行なトラックにおける他の制御データパックの第１のブロックの位置とのかなりのオーバラップを防止するための所定の長さを持つ装置によって達成される。
【００１３】
本発明の第５の態様によれば、本目的は、最初の段落において定義されたような、前記情報をブロックに保存するための略平行なトラックのトラックパターンを持つ記録担体であって、前記情報は、第１の制御位置に制御情報を有する制御データパックと、前記第１の制御位置の近隣の少なくとも１つの更なる制御位置に同一の制御情報を有する少なくとも１つの更なる制御データパックと、前記制御位置を分離するトラック部分である少なくとも１つのスペーサとを含み、前記スペーサの長さが、少なくとも１つの前記制御データパックの第１のブロックの位置の、平行なトラックにおける他の制御データパックの第１のブロックの位置とのかなりのオーバラップを防止する記録担体によって達成される。
【００１４】
この効果は、制御データパックの幾つかの複製が限られたエリアに保存され、一方でトラック方向を横切る方向に、異なる複製の対応するブロックのオーバラップが出現しないという点である。このことは、第１の制御位置における制御データパックの特定のブロックが損傷しても、前記ブロックは少なくとも異なる制御位置における同一の制御情報の更なるコピー中に見出されるという利点を持つ。前記更なるコピーは、短時間で書き込まれ取得されることができる。なぜなら、該コピーの記録位置は、前記損傷したコピーの記憶位置の近くにあるからである。前記更なるコピーの近さにもかかわらず、前記更なるコピーは、少なくとも同一のブロックにおいて前記第１の制御位置と同じ理由によって損傷を受けない。
【００１５】
本発明は、以下の認識にも基づく。或る量の制御データは、読み取りエラーに対して、とりわけ汚れ及び擦傷の影響に対して保護される必要がある。既知の方法は、前記制御データパックの繰り返しの保存に依拠している。本発明者は、繰り返して保存された制御データの幾つかの複製に、対応するブロックがオーバラップするようにかような複製が平行なトラックに整合された場合にエラーが発生し得ることを見出した。とりわけ、かような整合は、同じ長さの複製を連続的に保存することの周期性によって生じる。スペーサを適切に挿入することにより、かような周期性は乱され、整合及びオーバラップが防止される。驚くべきことに、前記ディスクの広い範囲に渡ってさえ、前記広い範囲におけるどこかに幾つかの制御データパックを同時に保存するため、単一の構成でスペーサが選択され得る。前記制御データパックの幾つかのコピーを前記記録担体の離れたエリアに保存することも知られており、また同時に全てのコピーを損傷することを防止することに留意されたい。例えば、ＤＶＤ＋ＲＷシステムにおいて不良セクタテーブルのコピーは、記録担体の内側及び外側の径方向のエリアに保存される。しかしながら、かような離れて位置する記憶位置に制御データを保存し取得することは、大量のアクセス時間を必要とし、それ故高性能の記憶システムにおける制御データの保存のための実行可能な選択肢ではない。
【００１６】
本方法の実施例においては、前記制御データパックは、トラックパターンのエリア内に配置される。ここで前記エリア中の１つの巻におけるブロックの数は所定の範囲内であり、スペーサの長さは、前記エリア内の制御データパックの位置とは無関係に前記オーバラップを防止するように選択される。この効果は、前記制御データパックのコピーのクラスタが、例えばディスク型の記録担体上の第１の半径と第２の半径との間のような、前記トラックパターンのエリア内のどこかに保存されるという点である。このことは、損傷及び汚れによる訂正不可能なエラーが減少させられ、一方で前記制御データパックのクラスタが前記エリア内のどこかに保存されるという利点を持つ。
【００１７】
本方法の実施例においては、前記記録担体は、再書き込み可能なタイプの記録担体であり、少なくとも２つの所定の確保されたエリアを持ち、該エリアは所定の順序で利用するための幾つかの予備の制御位置の１つに特定の制御データパックを書き込むために確保され、前記確保されたエリアの長さは、残りの予備の制御位置がスペーサを構成するように選択される。このことは、前記制御データパックが幾つかの予備位置に保存されることができ、例えば特定の位置が磨耗した場合に次の予備位置が利用されることができるといった効果を持つ。前記確保されたエリアのこのサイズは、整合されない制御データパックの保存されたコピーに帰着する。
【００１８】
本発明による方法、装置及び記憶担体の更なる好適な実施例は、請求項において与えられる。
【００１９】
本発明のこれらの及び他の態様は、以下の説明において例として記載される実施例を更に参照しながら、及び添付する図を参照しながら説明され明らかとなるであろう。
【００２０】
図において、既に説明された構成要素に対応する構成要素は、同一の参照番号を持つ。
【発明を実施するための最良の形態】
【００２１】
図１ａは、記録担体及びセクタの整合を示す。ディスク型の記録担体１１は、トラック９及び中央穴１０を持つ。情報を表す一連の記録された（記録されるべき）マークの位置であるトラック９は、情報層上に略平行なトラックを構成する巻の螺旋パターンに従って配置される。前記記録担体は、光ディスクと呼ばれる光読み取り可能なものであっても良く、読み取り専用又は記録可能なタイプの情報層を持つ。読み取り専用タイプの例はＣＤであり、記録可能なディスクの例はＣＤ−Ｒ及びＣＤ−ＲＷ、並びにＤＶＤ＋ＲＷのようなＤＶＤの書き込み可能なバージョン、及びBlu-ray Disc（ＢＤ）と呼ばれる、青色レーザを利用した高密度書き込み可能な光ディスクである。ＤＶＤディスクについての更なる詳細は、参照文献「ECMA-267:120mm DVD -Read-Only Disc-」（第３版、2001年４月）に見出される。前記情報は、前記トラックに沿って光検出可能なマークを記録することにより、例えば結晶又は非結晶のマークを相変化物質に記録することにより、前記情報層において表される。記録可能なタイプの記録担体上のトラック９は、ブランクの記録担体の製造の間に提供される予めエンボスされたトラック構造によって示される。前記トラック構造は、通常情報セクタ又はブロックと呼ばれる、情報の単位の位置を示すための、例えばアドレスのような位置情報を有する。前記位置情報は、かような情報ブロックの開始の位置を見つけるための特殊な同期マークを含む。
【００２２】
図１ｂは、記録可能なタイプの記録担体１１の、線ｂ−ｂに沿ってとられた断面図を示す。ここで透明な基板１５が、記録層１６及び保護層１７を備える。例えば記録層が０．６ｍｍの基板上にあり、０．６ｍｍの更なる基板がその背面に接合されるＤＶＤにおけるように、保護層１７は更なる基板を有しても良い。プリグルーブ１４は、走査の間読み取り／書き込みヘッドが前記トラックを追従することを可能とする。前記プリグルーブは例えば、前記トラック構造を構成する。プリグルーブ１４は、基板１５の物質の窪み又は隆起として、又は周囲から逸脱した物質の特性として実装されても良い。
【００２３】
記録担体１１は、例えばＬＰＣＭ、ＭＰ３又はＭＰＥＧ２のような規格化されたフォーマットによるビデオのようなディジタルにエンコードされたリアルタイム情報を表すファイルにおけるように、いずれのタイプのディジタル情報をも担持するように意図されている。
【００２４】
前記ディスク上の情報は、例えばＣＤについては2048ユーザバイトのサイズを持つブロック即ちセクタに保存される。かようなセクタは、情報のアドレス指定可能な及び取得可能な単位であり、通常エラー訂正コードを備えられる。しかしながら、或るエリア中のエラーの数が、例えば当該エリアに集中した汚れ又は擦傷によって、所定の量を超えた場合、前記エラー訂正コードは不十分であり、それぞれのセクタは再構築されることができない。例えばコンテンツを復号化するための鍵のような、ディスクにアクセスするために重要な制御データパックが、不利な状況において取得可能である必要がある。それ故、かような制御データパックの幾つかのコピーが保存される。同一のデータが平行するトラックに保存される場合に問題が生じ得る。図１ａはこの問題を示す。トラックの１巻におけるセクタの数は６と仮定され、制御データパックの長さはまた６と仮定される。前記制御データパックの第１のコピーは６つのセクタＡ１、Ａ２、Ａ３乃至Ａ６を持つ。前記制御データパックの第２のコピーは６つのセクタＢ１、Ｂ２、Ｂ３乃至Ｂ６を持つ。対応するセクタは平行なトラックの隣接する部分に保存される。例えば前記第１のコピーの第１のセクタＡ１は、前記第２のコピーの第１のセクタＢ１に隣接する。それ故、擦傷は通常両方のコピーの同一のセクタを損傷させる。
【００２５】
図１ｃは、記録担体及びセクタの整合を防止するためのスペーサを示す。記録担体１１は同様に、図１Ａにおいて示された例のように、同一の制御データパックの２つのコピーを持つ。前記制御データパックの第１のコピーは、６つのセクタＡ１、Ａ２、Ａ３乃至Ａ６を持つ。前記制御データパックの第２のコピーは、６つのセクタＢ１、Ｂ２、Ｂ３乃至Ｂ６を持つ。両方のコピーとも、１セクタのサイズを持つスペーサＳ１によって分離されている。前記スペーサにより、対応するセクタは、隣接する平行なトラックの異なる横方向の位置に保存される。それ故、擦傷は通常各コピーにおける異なるセクタを損傷させ、両方のコピーの損傷していないセクタを利用して制御情報の再構築が可能である。情報を保存する方法及びスペーサのサイズを選択する方法は、ＣＤシステムについてより詳細に以下に説明される。
【００２６】
図２は、例えばＣＤ−Ｒ若しくはＣＤ−ＲＷ、又はＤＶＤ＋ＲＷ若しくはＢＤのような、書き込み可能又は再書き込み可能なタイプの記録担体１１に情報を書き込む記録装置を示す。前記装置は、前記記録担体上のトラックを走査するための記録手段を備える。該記録手段は、記録担体１１を回転させるための駆動ユニット２１、ヘッド２２、ヘッド２２を径方向に前記トラック上に粗く位置決めするための位置決めユニット２５を含む。ヘッド２２は、放射ビーム２４を生成するための知られたタイプの光学系を有し、放射ビーム２４は、光学素子によって誘導され、前記記録担体の情報層のトラック上の放射スポット２３へとフォーカスされる。放射ビーム２４は、例えばレーザダイオードのような放射源によって生成される。前記ヘッドは更に（図示されていないが）、放射ビーム２４のフォーカスを前記ビームの光軸に沿って移動させるためのフォーカスアクチュエータと、スポット２３を径方向に前記トラックの中央へと詳細に位置決めするためのトラッキングアクチュエータとを有する。前記トラッキングアクチュエータは、光学素子を径方向に移動させるためのコイルを有しても良く、又は代替として反射素子の角度を変化させるように構成されても良い。情報を書き込むため、前記放射は前記記録層に光検出可能なマークを生成するように制御される。読み取りのためには、前記情報層によって反射された前記放射が、ヘッド２２中の例えば４象限ダイオードのような通常のタイプの検出器によって検出される。それにより、読み取り信号と、更に前記トラッキングアクチュエータ及び前記フォーカスアクチュエータを制御するためのトラッキングエラー信号及びフォーカスエラー信号を含む検出器信号とを生成する。前記読み取り信号は、前記情報を取得するため、復調器、デフォーマッタ及び出力ユニットを含む、通常のタイプの読み取りユニット３０によって処理される。それ故、情報を読み取るための読み取り手段は、駆動ユニット２１、ヘッド２２、位置決めユニット２５及び読み取りユニット３０を含む。前記記録手段は更に、入力情報を処理し書き込み信号を生成して、ヘッド２２を駆動するための手段を含む。該手段は、入力ユニット２７、フォーマッタ２８及び書き込みユニット２９を有する。制御ユニット２０は、情報の記録及び取得を制御し、ユーザからの又はホストコンピュータからのコマンドを受信するように構成されても良い。制御ユニット２０は、例えばシステムバスのような制御線２６を介して、入力ユニット２７、フォーマッタ２８及び書き込みユニット２９、読み取りユニット３０、駆動ユニット２１並びに位置決めユニット２５に接続される。制御ユニット２０は、以下に説明されるような本発明によるプロシージャ及び機能を実行するための、例えばマイクロプロセッサのような制御回路、プログラムメモリ及び制御ゲートを有する。制御ユニット２０は、論理回路中の状態機械として実装されても良い。入力ユニット２７は、ユーザリアルタイム情報を受信し、オーディオ及び／又はビデオを情報のブロックへと加工する。該情報のブロックは、制御データを付加し、例えばＭＰ３オーディオデータのような特定のタイプのデータのファイルフォーマットに従ってデータをフォーマットするためのフォーマッタ２８へ送られる。リアルタイムデータは、例えばコンピュータアプリケーションから又は別の装置に記録されたリアルタイム情報のコピーから、前記ファイルフォーマットに従って既にフォーマットされていても良く、フォーマッタ２８に直接にインタフェース接続されても良い。フォーマッタ２８の出力部からの前記フォーマットされたデータは、書き込みユニット２９に送られる。書き込みユニット２９は、ヘッド２２を駆動する変調された信号を生成するための、例えばチャネルコーダを有する。更に書き込みユニット２９は、前記変調された信号に同期パターンを含ませるための同期手段を有する。変調ユニット２９の入力部に送られる前記フォーマットされた単位はアドレス情報を含み、制御ユニット２０の制御の下で前記記録担体上の対応するアドレス指定可能な位置に書き込まれる。書き込み動作の間、前記情報を表すマークが前記記録担体上に形成される。前記マークは、いずれの光読み取り可能な形態であっても良く、例えば色素、合金又は相変化物質のような物質に記録するときに得られる、周囲と異なる反射係数を持つエリアの形をとっても良いし、又は光磁気物質に記録するときに得られる、周囲と異なる磁化の方向を持つエリアの形をとっても良い。光ディスクへの記録のための情報の書き込み及び読み取り、使用可能なフォーマット、エラー訂正並びにチャネル符号化の規則は、例えばＣＤシステムから本分野では良く知られている。前記マークは、通常レーザダイオードからの電磁放射のビーム２４によって前記記録層に生成されるスポット２３によって形成される。実施例においては、入力ユニット２７は、アナログオーディオ及び／又はビデオ、又はディジタルの圧縮されていないオーディオ／ビデオのような入力信号用の圧縮手段を有する。ビデオについての適切な圧縮手段がＭＰＥＧ規格に記載されており、ＭＰＥＧ−１はＩＳＯ／ＩＥＣ１１１７２に定義され、ＭＰＥＧ−２はＩＳＯ／ＩＥＣ１３８１８に定義されている。前記入力信号は代替として、かような規格に従って既にエンコードされていても良い。
【００２７】
制御ユニット２０は、以下のように前記記録担体の損傷及び汚れに対して保護されるべき制御情報を保存するために記録手段を制御するように構成される。ここで示される方法で前記制御情報を保存することは、前記情報を不利な影響に対して頑強なものとする。最初に、前記制御情報を有する制御データパックが構成される。次いで前記制御データパックが、第１の制御位置に保存され、同一の制御情報を有する前記制御データパックの少なくとも１つの更なるコピーが、前記第１の制御位置の近傍の少なくとも１つの更なる制御位置に保存される。これらの制御位置を分離する何らかのオープンスペースが備えられる。スペーサと呼ばれる前記オープンスペースは、制御位置間にあるトラックの部分であるが、保護されるべき前記制御情報を含まない。前記スペーサは空（記録されていない）であっても良く、ダミーデータ（例えば全てゼロ）で充填されていても良く、又はより重要でなく特別な頑強さを必要としない制御情報のような他のデータを含んでいても良いことに留意されたい。前記スペーサの長さは、少なくとも１つの前記制御データパックの第１のブロックの位置が、平行なトラックにおける他の制御データパックの第１のブロックの位置と、かなりオーバラップすることを防ぐために選択される。ＣＤシステムについてのスペーサの長さを選択する処理が、以下に詳細に説明される。選択される長さは、特定の記録システムについて事前に算出されても良く、例えば記録担体のタイプ又は記録の凡その径位置を示す論理アドレスのような実際のパラメータに依存して、前記制御ユニット中の所定のテーブルから１以上のスペーサ長が選択されても良いことに留意されたい。複製の位置が複製されない更なる制御データに記録されても良く、それ故利用されるスペーサは一定である必要はないことに留意されたい。
【００２８】
図２に示された装置は更に、データを再生するための読み出し機能を持つ。読み取りユニット３０は、前記データを受信するためにヘッド２２に結合される。前記制御ユニットは、以下のように前記制御位置から前記制御データパックを受信するように構成される。前記第１の制御位置において、前記制御データパックを読み取る第１の試みが為される。前記データが訂正不可能なエラーを含む場合、エラーなく制御データパックが読み取られるまで、前記スペーサをスキップしながら更なる制御位置が読み取られる。前記装置の実施例においては、前記制御ユニットは、少なくとも２つの制御データパックの組み合わせに基づいて前記制御情報中のエラーを訂正するエラー訂正手段を備える。前記制御ユニットは、異なる制御位置から読み取られた制御データパックから制御情報の組み合わせを作成する。例えば前記制御ユニットは、両方の位置からエラーのないセクタを組み合わせる。
【００２９】
記録機能を備えない読み取り装置は、入力ユニット２７、フォーマッタ２８、書き込みユニット２９及び前記制御ユニットの記録制御素子を除いて、図２に示された記録装置と同じ構成要素を持つ。
【００３０】
前記装置の実施例においては、制御データの保存及び／又は読み取りを実行する制御ユニット２０の一部は、プロセッサ上で動作するコンピュータプログラムによって実装される。前記コンピュータプログラムの実施例は、例えばＳＷデバイスドライバのような、パーソナルコンピュータのプロセッサ上で動作するためのものである。
【００３１】
本明細においてＣＤ２と呼ばれるＣＤシステムの拡張においては、以下のものが区別される。即ち、媒体のタイプ（ＣＤ−ＲＯＭ、ＣＤ−Ｒ、ＣＤ−ＲＷ）、フォーマットタイプ（ＣＤ２ＲＯ、ＣＤ２Ｒ、ＣＤ２ＲＷ）及びアクセスタイプ（読み取り専用、１度だけ書き込み可能、再書き込み可能）である。媒体のタイプとは、物理的な媒体の特質、フォーマットのタイプとは、例えばボリューム構造のような、データがフォーマットされる方法、アクセスタイプとはデータがアクセスされる方法である。例えば、アクセスタイプは、フォーマットタイプＣＤ２ＲＯ及びＣＤ２Ｒについては読み取り専用であり、これらのフォーマットタイプは例えばＣＤ−ＲＷのような種々の媒体のタイプに存在し得る。フォーマットタイプＣＤ２Ｒについての１度だけ書き込み可能なアクセスタイプは、ＣＤ−Ｒ及びＣＤ−ＲＷ媒体タイプの両方に存在し得るが、ＣＤ−ＲＯＭには存在しない。更にＣＤ２システムは、ＣＤへのセキュアな保存を提供する仕様のセットを有する。
【００３２】
ＣＤ２システムにおいては、スペーサの選択は以下のように行われる。ＣＤ２システムは、制御情報がディスク上の専用のドライブデータエリア（ＤＤＡ）に頑強に保存されることを必要とする。ドライブデータは、ディスクの振る舞いを一部決定するためにドライブによって利用される。より具体的には、ＣＤ２システムにおいてはＤＤＡはキーロッカエリア（key locker area、ＫＬＡ）と呼ばれる。なぜなら、ＤＤＡの大部分が、所謂キーロッカ（ＫＬ）に主データにアクセスするための鍵を保存するために利用されるからである。ＫＬは、Ｄ２システムによって保護されるＣＤ上の資産へアクセスするための権利の定義及び鍵を含む構造である。キーロッカの更なる説明は、国際特許出願公開WO02/15184において与えられる。頑強さの理由のため、ＫＬの同一のバージョンがＫＬＡに記録される。各ＫＬは、セクタ毎に、全ての他の複製と同一である。第１のバージョンにおいて訂正不可能なエラーが発生した場合には、次の同一のバージョンが取得されることができ、又はバージョンの組み合わせが利用されても良い。
【００３３】
ＣＤのような光記録担体に典型的な、３つ基本的なタイプの損傷がある。即ち、径方向に沿った擦傷、円周に沿った擦傷及び汚れである。従来、単一の擦傷が複数のデータのインスタンスを破壊してしまうことを回避するため、複製が物理的に離れた位置に保存されていた。例えば、１つがディスクの内側のリードイン（ＬＩ）に、別の１つがディスクの外側のリードアウト（ＬＯ）に保存された。ＬＩにおける前記複製が損傷しＬＯにおける複製が読み取られる必要がある場合、ＬＩとＬＯとの間を行ったり来たりしてジャンプするために付加的な時間が必要とされるため、ディスクのアクセス時間が著しく増大していた。一方、全ての複製がＬＩに保存される場合には、これらの複製は物理的に互いに近接し、このことはこれら複製を同時の損傷をより被り易いものとする。例えば、１つのＫＬ複製を損傷させる擦傷は、略間違いなく他のＫＬ複製をも損傷させる。複製の最初のセクタが整合する場合には、全てのセクタが整合し、擦傷に対する脆弱性はディスクの円周全体に渡ることに留意されたい。本発明による解決方法は、共に配置されるがスペーサを挿入することによってセクタの整合を回避するような保存位置に前記複製を保存し、これにより１つの径方向の擦傷が全てのＫＬ複製中の同一のデータを損傷することを防ぐことである。
【００３４】
図３は、記憶位置及びスペーサを示す。損傷に対する特別な頑強さを必要としない情報を保存する第１の部分３１を含むトラックの一部が、模式的に示されている。次いで前記トラックは、頑強さを必要とする制御情報を含む制御データパックの複製を保存するための、４つの等しいサイズの記憶位置３２を持つ。前記記憶位置間には、３つのスペーサ位置３３が示され、第２のスペーサ位置はスペーサ３４を持ち、第３のスペーサ位置はスペーサ３５を持つ。２つより多いスペーサを挿入することは有用ではないことに留意されたい。このことは、複製データのために確保されたスペースが、最も小さいスペーサのサイズによって増大されることを実質的に意味する。複製制御データパックが、該複製制御データパック用に確保されたスペースよりも小さい場合、該確保されたスペースの残りの部分は空のまま残る。
【００３５】
図４ａは、ＣＤ２システムについての記憶位置を示す。損傷に対する特別な頑強さを必要としない基本制御情報を保存するための第１の部分４３を持つトラックの一部４１が、模式的に示されている。次いで前記トラックは、頑強さを必要とする制御情報を含む制御データパックの複製を保存するための、４つの等しいサイズの記憶位置４２を持つ。前記記憶位置間には、第１のスペーサ４４及び第２のスペーサ４５が配置される。確保されたエリアＲＡの全体は、キーロッカの保存のためのキーロッカエリアＫＬＡを含む。ＣＤ上のセッションは、リードインエリアＬＩ、プログラムエリアＰＡ及びリードアウトエリアＬＯから成るディスク上の環状のエリアである。シングルセッションＣＤは１つだけのセッションを持ち、マルチセッションＣＤは幾つかの連続するセッションを持つ。ＬＩはボリュームについてのテーブル・オブ・コンテント（ＴＯＣ）を含み、ＰＡの全体は原則的に（ことによるとプリギャップ及びポストギャップを除いて）１以上のトラック中のユーザデータについて利用可能であり、ＬＯは空のブロックを含む。確保されたエリアＲＡは、ＣＤ上のプログラムエリアＰＡの前のリードインエリアＬＩに配置される。読み取り専用フォーマットタイプＣＤ２ＲＯ及び完成した記録可能なフォーマットタイプＣＤ２Ｒディスクにおいては、ＫＬＡ用に確保されたスペースは、３７４セクタのエリアとして定義されている。ＫＬＡ用の確保されたエリアＲＡは、ＣＤ２セッションのリードインに配置され、［（開始ＰＡ）−３５″］において開始し、５秒間（３７５セクタ）継続する。
【００３６】
図４ｂは、記憶位置における制御データパックを示す。図４ａにおいて示されたものと同一のトラックが存在する。第１の部分４３は、セクタ１乃至３２に渡り、「Adaptation Layer Parameter」スペース（ＡＬＰ）並びにＤＲＬ（ＢＬ又はブラックリストとしても知られる装置無効化リスト（device revocation list））及びＥＫＢ（enabling key block）と呼ばれる幾つかの付加的な基本制御情報を含む。前記制御位置の物理セクタ番号は、図において点線の矢印によって示されるようにＡＬＰ中に記録される。制御位置４２は、キーロッカ制御データパックの４つの複製ＫＬ１、ＫＬ２、ＫＬ３及びＫＬ４によって占有される。ここで前記制御位置はそれぞれ３３乃至１１６、１２１乃至２０４、２０７乃至２９０及び２９１乃至３７４に渡る。４つの空のセクタから成る第１のスペーサは１１７乃至１２０に渡り、２つの空のセクタから成る第２のスペーサは２０５及び２０６に渡る。それ故、前記記録担体はＫＬの４つの同一のインスタンスを含む。各ＫＬインスタンスの最大サイズは１６８ＫＢ（８４セクタ）である。
【００３７】
「読み取り専用」アクセスタイプ（プレスされたタイプＣＤ２ＲＯ及び完成した記録可能なタイプＣＤ２Ｒ）については、ＫＬＡはＬＩ中に配置される。再書き込み可能なタイプＣＤ２ＲＷについては、キーＫＬＡは、ＬＩ中の固定された位置にある。ＣＤ２ＲＯ及びＣＤ２Ｒフォーマットについての実施例においては、ＫＬＡを含むＬＩの物理位置は固定されない。ＬＩは、マルチセッションディスクにおいてはセッションの先頭にあり、ディスクの先頭若しくはディスクの外側の縁の近く、又はその間のどこかに配置され得る。前記スペーサは、図６を参照しながら詳細に説明されるように、位置の全体の範囲に渡って整合が生じないように選択される。
【００３８】
図５は、再書き込み可能な記録担体上の記憶位置を示す。図４と同様に、ＫＬＡはＰＡの前のＬＩに配置される。再書き込み可能なタイプの記録担体は、幾つかの予備制御位置５３のうちの１つに、キーロッカＫＬ１及びＫＬ２のような、特定の制御データパックを書き込むために確保された、２つの所定の確保されたエリア５１及び５２を持つ。前記予備制御位置は、例えば前記確保されたエリアにおける最大のアドレスから開始して下方に向かうといったように、所定の順序で利用される。確保されたエリア５１及び５２の長さは、図７ａ及び７ｂを用いて詳細に説明されるように、セクタの整合を回避するため残りの予備制御位置が前記スペーサを構成するように選択される。
【００３９】
図６ａは、スペーサを備えない制御データパックのセクタ整合を示す。ｘ軸に横に示された１つの巻におけるセクタ数の範囲について、前記複製制御データパックの巻における第１のセクタの位置がｙ軸に縦に示される。当該範囲についてＫＬ１の第１の位置は、図において傾斜した帯６１を構成する。一方ＫＬ２、ＫＬ３及びＫＬ４の第１の位置はそれぞれ、更なる傾斜したエリア６２、６３及び６４に対応する。スペーサが利用されておらず、ディスク上の特定の領域について、完全なセクタの整合が避けられない。本図は、全ての傾斜した帯が交差する、３つのかような整合領域６５、６６及び６７を示す。かような整合領域は、セクタ／巻の当該値について、４つの複製全てが、同一の角位置にそれぞれの第１のセクタを持つことを示す。スペーサがない場合では、ＣＤ全体に７つのかような領域がある。
【００４０】
ＣＤ２システムについて、どのスペーサ構成が最適となるかを決定するため、ディスクの内側と外側との間の全ての位置について、各複製の第１のセクタの相対位置が、幾つかのスペーサ構成について比較される。シングルセッションのディスクのリードインにおいては約９．４という値の「巻当たりのセクタ」が典型的であり、リードアウトにおいては約２５に達することに留意されたい。本図は巻当たりのセクタの範囲の最初の部分のみを示す。図６ａ、ｂ及びｃにおいて、最大のｙ値は次のｘ値の底線に接続することに留意されたい。
【００４１】
図６ｂは、０：３：０の構成でスペーサを備えた制御データパックのセクタ整合を示す。スペーサ用に利用される３つのセクタと、各ＫＬ複製用に利用される８５個のセクタとがある。本図は、０：３：０についての整合を示す。０：３：０とは、第１及び第３のスペーサはゼロのサイズを持ち、第２のスペーサは３セクタのサイズを持つことを意味する。擦傷に対する脆弱性が、かなり減少させられる。完全なセクタ整合が発生する位置はディスク上にはもはやなく、領域６８において部分的な整合のみが発生し、更なる部分的なオーバラップがｘ＝８．６５及びｘ＝１０．８５の近くで発生する。それ故、当該範囲のセクタ／巻においては、３つのセクタのスペーサが、低減されたセクタのオーバラップをもたらす。そのうえ、０：３：０は、スペーサ用に３つのセクタのみが利用可能である場合の、セクタのオーバラップを最小限に制約した構成である。
【００４２】
図６ｃは、４：２：０の構成でスペーサを備えた制御データパックのセクタ整合を示す。４：２：０構成は、オーバラップがない状態をもたらす。７以上のセクタがスペーサ用に利用可能である場合であっても、更なる減少は達成され得ない。
【００４３】
図７ａは、特にＣＤ２ＲＷフォーマットについて、９．４セクタ／巻における、確保されたエリア中の制御データパックのセクタ整合を示す。ＫＬＡについてのセクタマップ７０が、９．４という「巻当たりのセクタ」の値において示されている。例えば１乃至５及び７７乃至８３のような濃いグレーのセクタは、データを保存するために利用されないランイン、ランアウト及びリンキングブロックを示す。ＫＬＡは２つのＫＬ複製を持ち、それぞれが図５を参照しながら説明されたように確保されたエリアに配置される。セクタマップ７０の開始に対して、ＫＬ１はセクタ３５７において開始し、ＫＬ２はセクタ７０８において開始する。本図の底部は、ＫＬ１及びＫＬ２の第１のセクタの投射された相対位置７１及び７２、並びにＡＬＰの投射された位置７３を示す。明らかに整合が発生していない。更に、例えば元の位置が磨耗したことによってＫＬ１及びＫＬ２が再配置された場合についての位置７４及び７５が示されている。９．４という「巻当たりのセクタ」の値は、例えばセクタの継続時間は１／７５秒＝１３．３３ｍｓであり、記録線速度は１．２ｍ／ｓであるといった、実践的な仮定に基づく。ＬＩ中のＫＬＡの所定の位置について（２３．７５ｍｍと２４．０ｍｍとの間）、巻当たりのセクタの数（＝円周／（セクタ継続時間＊線速度））は、
（１）（２＊ｐｉ＊２４．０ｍｍ）／（１３．３３ｍｓ＊１．２ｍ／ｓ）＝９．４セクタ／巻と、
（２）（２＊ｐｉ＊２３．７５ｍｍ）／（１３．３３ｍｓ＊１．２ｍ／ｓ）＝９．３セクタ／巻と、
の間になる。
【００４４】
図７ｂは、特にＣＤ２ＲＷフォーマットについて、９．３セクタ／巻における、確保されたエリア中の制御データパックのセクタ整合を示す。図７ａと同様に、セクタマップ及び整合が示される。再配置の後にＫＬ１がＫＬ２の元の位置と部分的にオーバラップすることに留意されたい。実践的な要件の下では、前記確保されたエリア用のより優れたサイズが選択され得ない。しかしながら当該整合は、ＫＬ２もまた再配置されるとすぐに消滅する。実施例においては、ＫＬ１及びＫＬ２の再配置は連結される。即ち、一方の元の位置が磨耗するとすぐに、ＫＬ及びＫＬ２の両方が再配置される。それ故、第１及び第２の生成位置の整合は発生しない。
【００４５】
本発明は光ディスクを利用した実施例によって主に説明されたが、本発明はまた直線の平行なトラックを持つカード、又は磁気ディスクのような他の記録担体に対しても適している。本明細書において、動詞「有する（comprise）」及びその活用形は、列記されたもの以外の構成要素又はステップの存在を除外するものではないこと、構成要素に先行する「１つの（a又はan）」なる語は、複数のかような構成要素の存在を除外するものではないこと、いずれの参照記号も請求の範囲を限定するものではないこと、本発明はハードウェア及びソフトウェアの両方によって実施化されても良いこと、及び幾つかの「手段」又は「ユニット」は同一のハードウェア又はソフトウェアのアイテムによって表されても良いことに留意されたい。更に、本発明の範囲は実施例に限定されるものではなく、本発明は上述の全ての新規な特徴及び特徴の組み合わせに存する。
【図面の簡単な説明】
【００４６】
【図１（ａ）】記録担体及びセクタの整合を示す（上面図）。
【図１（ｂ）】記録担体を示す（断面図）。
【図１（ｃ）】記録担体及びセクタの整合を防止するスペーサを示す（上面図）。
【図２】記録装置を示す。
【図３】記憶位置及びスペーサを示す。
【図４（ａ）】ＣＤ２システムについての記憶位置を示す。
【図４（ｂ）】記憶位置における制御データパックを示す。
【図５】再書き込み可能な記録担体における記憶位置を示す。
【図６（ａ）】スペーサを備えない制御データパックのセクタ整合を示す。
【図６（ｂ）】０：３：０の構成でスペーサを備える制御データパックのセクタ整合を示す。
【図６（ｃ）】４：２：０の構成でスペーサを備える制御データパックのセクタ制御を示す。
【図７（ａ）】９．４セクタ／巻における、確保されたエリアにおける制御データパックのセクタ整合を示す。
【図７（ｂ）】９．３セクタ／巻における、確保されたエリアにおける制御データパックのセクタ整合を示す。
2006505889.tif 000003
【図２】
2006505889.tif 000004
【図３】
2006505889.tif 000005
2006505889.tif 000006
【図５】
2006505889.tif 000007
2006505889.tif 000008
2006505889.tif 000009
2006505889.tif 000010
【国際調査報告】
2006505889.tif 000011
2006505889.tif 000012